(57)【要約】【課題】制動力保持機構の係止による制動力の保持を状況に応じて適切に行うことができる電動ブレーキ装置を提供する。【解決手段】パーキング機構２３は、ブレーキ機構２２の一部となる電動モータ２２Ｂの回転軸２２Ｂ１をラチェットギヤ２３Ｂとレバー部材２３Ｃとで係止することで、制動力を保持する。リア電動ブレーキ用ＥＣＵ２４は、メインＥＣＵ１０と共に、電動モータ２２Ｂおよびパーキング機構２３の作動を制御する制御装置を構成している。メインＥＣＵ１０は、システムが稼働しているときに、車両が停車状態でパーキングブレーキスイッチ１５が操作された場合、電動モータ２２Ｂで制動力を保持し、停車状態から駐車状態へ移行したときに、パーキング機構２３により制動力を保持する。【選択図】図２
2020157903.tif 000002
【特許請求の範囲】
【請求項１】
制動力を付与する電動モータと、
ブレーキ機構の一部を係止することで制動力を保持する制動力保持機構と、
前記電動モータおよび前記制動力保持機構の作動を制御する制御装置と、を有する電動ブレーキ装置において、
前記制御装置は、システムが稼働しているときに、車両が停車状態で前記制動力保持機構を作動させるスイッチが操作された場合、前記電動モータで制動力を保持し、停車状態から駐車状態へ移行したときに前記制動力保持機構により制動力を保持することを特徴とする電動ブレーキ装置。
【発明の詳細な説明】
【技術分野】
【０００１】
本発明は、自動車等の車両に制動力を付与する電動ブレーキ装置に関する。
【背景技術】
【０００２】
自動車等の車両に設けられる電動ブレーキ装置として、システムが非稼働となった場合にのみラチェット機構の係合による推力の保持を行う構成が知られている（特許文献１）。
【先行技術文献】
【特許文献】
【０００３】
【特許文献１】特開２００５−２２４６４号公報
【発明の概要】
【発明が解決しようとする課題】
【０００４】
従来技術の電動ブレーキ装置は、例えばイグニッションキーが抜かれてシステムが非稼働となるまで、ラチェット機構（制動力保持機構）の係合による制動力の保持が行われない。このため、例えば、システム稼働中に車両が駐車状態になっても、ラチェット機構の係合による制動力の保持は行われない。
【０００５】
本発明の目的は、制動力保持機構の係合（係止）による制動力の保持を状況に応じて適切に行うことができる電動ブレーキ装置を提供することにある。
【課題を解決するための手段】
【０００６】
本発明による電動ブレーキ装置は、制動力を付与する電動モータと、ブレーキ機構の一部を係止することで制動力を保持する制動力保持機構と、前記電動モータおよび前記制動力保持機構の作動を制御する制御装置と、を有する電動ブレーキ装置において、前記制御装置は、システムが稼働しているときに、車両が停車状態で前記制動力保持機構を作動させるスイッチが操作された場合、前記電動モータで制動力を保持し、停車状態から駐車状態へ移行したときに前記制動力保持機構により制動力を保持する。
【発明の効果】
【０００７】
本発明によれば、制動力保持機構の係止による制動力の保持を状況に応じて適切に行うことができる。
【図面の簡単な説明】
【０００８】
【図１】実施形態による電動ブレーキ装置が搭載された車両のシステム構成を示す概略図である。
【図２】図１中の電動ブレーキ装置をメインＥＣＵと共に示す概略図である。
【図３】パーキング機構の動作を示す説明図である。
【図４】電動ブレーキの制御中の状態遷移図である。
【図５】パーキング機構のラチェット要否判定の処理を示す流れ図である。
【図６】ラチェット要否が「否」のときのラチェット要否判定の処理を示す流れ図である。
【発明を実施するための形態】
【０００９】
以下、実施形態による電動ブレーキ装置を、４輪自動車に搭載した場合を例に挙げ、添付図面を参照して説明する。なお、図５および図６に示す流れ図の各ステップは、それぞれ「Ｓ」という表記を用いる（例えば、ステップ１＝「Ｓ１」とする）。また、図１および図２中で二本の斜線が付された線は電気系の線を表している。
【００１０】
図１において、車両１には、車輪（前輪３Ｌ，３Ｒ、後輪５Ｌ，５Ｒ）に制動力を付与して車両１を制動するブレーキ装置２（車両用ブレーキ装置、ブレーキシステム）が搭載されている。ブレーキ装置２は、左側の前輪３Ｌおよび右側の前輪３Ｒに対応して設けられた左右の液圧ブレーキ装置４，４（フロント制動機構）と、左側の後輪５Ｌおよび右側の後輪５Ｒに対応して設けられた左右の電動ブレーキ装置２１，２１（リア制動機構）と、ブレーキペダル６（操作具）の操作（踏込み）に応じて液圧を発生するマスタシリンダ７と、運転者（ドライバ）のブレーキペダル６の操作量を計測する液圧センサ８およびペダルストロークセンサ９と含んで構成されている。
【００１１】
液圧ブレーキ装置４は、例えば、液圧式ディスクブレーキにより構成されており、液圧（ブレーキ液圧）の供給によって車輪（前輪３Ｌ，３Ｒ）に制動力を付与する。電動ブレーキ装置２１は、例えば、電動式ディスクブレーキにより構成されており、電動モータ２２Ｂ（図２参照）の駆動によって車輪（後輪５Ｌ，５Ｒ）に制動力を付与する。液圧センサ８およびペダルストロークセンサ９は、メインＥＣＵ１０に接続されている。
【００１２】
マスタシリンダ７と液圧ブレーキ装置４，４との間には、液圧供給装置１１（以下、ＥＳＣ１１という）が設けられている。ＥＳＣ１１は、例えば、複数の制御弁と、ブレーキ液圧を加圧する液圧ポンプと、該液圧ポンプを駆動する電動モータと、余剰のブレーキ液を一時的に貯留する液圧制御用リザーバ（いずれも図示せず）とを含んで構成されている。ＥＳＣ１１の各制御弁および電動モータは、フロント液圧装置用ＥＣＵ１２に接続されている。フロント液圧装置用ＥＣＵ１２は、マイクロコンピュータを含んで構成されている。フロント液圧装置用ＥＣＵ１２は、メインＥＣＵ１０からの指令に基づいて、ＥＳＣ１１の各制御弁の開閉および電動モータの駆動を制御する。
【００１３】
メインＥＣＵ１０は、マイクロコンピュータを含んで構成されている。メインＥＣＵ１０は、液圧センサ８およびペダルストロークセンサ９からの信号の入力を受けて、予め定められた制御プログラムにより各輪（４輪）に対しての目標制動力の演算を行う。メインＥＣＵ１０は、算出した制動力に基づいて、フロント２輪それぞれに対しての制動指令をフロント液圧装置用ＥＣＵ１２（即ち、ＥＳＣＥＣＵ）へ車両データバスとしてのＣＡＮ１３（Controller area network）を介して送信する。メインＥＣＵ１０は、算出した制動力に基づいて、リア２輪それぞれに対しての制動指令（目標推力）をリア電動ブレーキ用ＥＣＵ２４，２４へＣＡＮ１３を介して送信する。
【００１４】
前輪３Ｌ，３Ｒおよび後輪５Ｌ，５Ｒのそれぞれの近傍には、これらの車輪３Ｌ，３Ｒ，５Ｌ，５Ｒの速度（車輪速度）を検出する車輪速度センサ１４，１４が設けられている。車輪速度センサ１４，１４は、メインＥＣＵ１０に接続されている。メインＥＣＵ１０は、各車輪速度センサ１４，１４からの信号に基づいて各車輪３Ｌ，３Ｒ，５Ｌ，５Ｒの車輪速度を取得することができる。また、メインＥＣＵ１０は、車両に搭載された他のＥＣＵ（図示せず）からＣＡＮ１３を介して送信される車両情報を受信する。即ち、メインＥＣＵ１０は、ＣＡＮ１３を介して、例えば、ＡＴレンジのポジションまたはＭＴシフトのポジションの情報、イグニションオン／オフの情報、ドア開閉情報、エンジン回転数の情報、ステアリングホイールの操作の情報、ステアリングホイールの把持の有無の情報、クラッチ操作の情報、アクセル操作の情報、車車間通信の情報、車載カメラによる車両周囲の情報、加速度センサの情報（前後加速度、横加速度）等の各種の車両情報を取得する。
【００１５】
運転席の近傍には、パーキングブレーキスイッチ１５が設けられている。パーキングブレーキスイッチ１５は、メインＥＣＵ１０に接続されている。パーキングブレーキスイッチ１５は、運転者の操作指示に応じたパーキングブレーキの作動要求（保持要求となるアプライ要求、解除要求となるリリース要求）に対応する信号（作動要求信号）をメインＥＣＵ１０に伝達する。メインＥＣＵ１０は、パーキングブレーキスイッチ１５の操作（作動要求信号）に基づいて、リア２輪それぞれに対してのパーキングブレーキ指令をリア電動ブレーキ用ＥＣＵ２４，２４へ送信する。パーキングブレーキスイッチ１５は、パーキング機構２３を作動させるスイッチに相当する。
【００１６】
電動ブレーキ装置２１は、ブレーキ機構２２と、制動力保持機構としてのパーキング機構２３と、制御装置としてのメインＥＣＵ１０およびリア電動ブレーキ用ＥＣＵ２４とを備えている。この場合、電動ブレーキ装置２１は、位置制御および推力制御を行うために、モータ回転位置を検出する位置検出手段としての回転角センサ２５と、推力（ピストン推力）を検出する推力検出手段としての推力センサ２６と、モータ電流を検出する電流検出手段としての電流センサ２７（いずれも図２参照）とを備えている。
【００１７】
ブレーキ機構２２は、車両１の左右の車輪、即ち、左後輪５Ｌ側と右後輪５Ｒ側とのそれぞれに設けられている。ブレーキ機構２２は、電動ブレーキ機構として構成されている。ブレーキ機構２２は、例えば、図２に示すように、シリンダ（ホイルシリンダ）としてのキャリパ２２Ａと、電動機（電動アクチュエータ）としての電動モータ２２Ｂと、減速機構２２Ｃと、回転直動変換機構２２Ｄと、押圧部材としてのピストン２２Ｅと、制動部材（パッド）としてのブレーキパッド２２Ｆと、図示しないフェールオープン機構（リターンスプリング）とを備えている。電動モータ２２Ｂは、電力の供給により駆動（回転）し、ピストン２２Ｅを推進する。これにより、電動モータ２２Ｂは、制動力を付与する。電動モータ２２Ｂは、メインＥＣＵ１０からの制動指令（目標推力）に基づいてリア電動ブレーキ用ＥＣＵ２４により制御される。減速機構２２Ｃは、電動モータ２２Ｂの回転を減速して回転直動変換機構２２Ｄに伝達する。
【００１８】
回転直動変換機構２２Ｄは、減速機構２２Ｃを介して伝達される電動モータ２２Ｂの回転をピストン２２Ｅの軸方向の変位（直動変位）に変換する。ピストン２２Ｅは、電動モータ２２Ｂの駆動により推進され、ブレーキパッド２２Ｆを移動させる。ブレーキパッド２２Ｆは、ピストン２２Ｅにより被制動部材（ディスク）としてのディスクロータＤに押圧される。ディスクロータＤは、車輪（後輪５Ｌ，５Ｒ）と共に回転する。図示しないリターンスプリング（フェールオープン機構）は、制動付与時に、回転直動変換機構２２Ｄの回転部材に対して制動解除方向の回転力を付与する。ブレーキ機構２２は、電動モータ２２Ｂの駆動によりディスクロータＤにブレーキパッド２２Ｆを押圧すべくピストン２２Ｅが推進される。即ち、ブレーキ機構２２は、ブレーキパッド２２Ｆを移動させるピストン２２Ｅに、電動モータ２２Ｂの駆動により発生する推力を伝達する。
【００１９】
パーキング機構２３は、各ブレーキ機構２２，２２、即ち、左側（左後輪５Ｌ側）のブレーキ機構２２と右側（右後輪５Ｒ側）のブレーキ機構２２とのそれぞれに設けられている。パーキング機構２３は、ブレーキ機構２２のピストン２２Ｅの推進状態を保持する。即ち、パーキング機構２３は、制動力の保持と解除を行う。パーキング機構２３は、ブレーキ機構２２の一部を係止することで制動力を保持する。例えば、パーキング機構２３は、図３に示すように、爪車（ラチェットギヤ２３Ｂ）に係合爪（レバー部材２３Ｃ）を係合（係止）させることにより回転を阻止（ロック）するラチェット機構（ロック機構）により構成されている。即ち、パーキング機構２３は、ソレノイド２３Ａと、爪車となるラチェットギヤ２３Ｂと、係合爪（係止爪）となるレバー部材２３Ｃと、戻しばねとなる圧縮ばね２３Ｄとを含んで構成されている。ソレノイド２３Ａは、電力の供給により駆動する（プランジャ２３Ａ１が変位する）。ソレノイド２３Ａは、メインＥＣＵ１０およびリア電動ブレーキ用ＥＣＵ２４により制御される。
【００２０】
ラチェットギヤ２３Ｂは、ブレーキ機構２２の電動モータ２２Ｂの回転軸２２Ｂ１に一体的に固定されている。ラチェットギヤ２３Ｂの外周側には、レバー部材２３Ｃの爪部２３Ｃ１と係合する爪２３Ｂ１が周方向に亙って等間隔に複数設けられている。レバー部材２３Ｃは、一端側がラチェットギヤ２３Ｂの爪２３Ｂ１に係合する爪部２３Ｃ１となり、他端側がソレノイド２３Ａのプランジャ２３Ａ１に連結される連結部２３Ｃ２となっている。レバー部材２３Ｃは、ソレノイド２３Ａによりラチェットギヤ２３Ｂの爪２３Ｂ１に対して係合（係止）または離間するように往復運動する。圧縮ばね２３Ｄは、レバー部材２３Ｃの爪部２３Ｃ１をラチェットギヤ２３Ｂの爪２３Ｂ１から離間する方向に弾性力を付与する。この構成により、パーキング機構２３は、ブレーキ機構２２の一部となる電動モータ２２Ｂの回転軸２２Ｂ１をラチェットギヤ２３Ｂとレバー部材２３Ｃとで係止することで、制動力を保持する。
【００２１】
リア電動ブレーキ用ＥＣＵ２４は、各ブレーキ機構２２，２２、即ち、左側（左後輪５Ｌ側）のブレーキ機構２２と右側（右後輪５Ｒ側）のブレーキ機構２２とのそれぞれに対応して設けられている。リア電動ブレーキ用ＥＣＵ２４は、マイクロコンピュータを含んで構成されている。リア電動ブレーキ用ＥＣＵ２４は、メインＥＣＵ１０からの指令に基づいてブレーキ機構２２（電動モータ２２Ｂ）とパーキング機構２３（ソレノイド２３Ａ）を制御する。即ち、リア電動ブレーキ用ＥＣＵ２４は、メインＥＣＵ１０と共に、電動モータ２２Ｂおよびパーキング機構２３の作動を制御する制御装置を構成している。この場合、リア電動ブレーキ用ＥＣＵ２４は、電動モータ２２Ｂの駆動を制動指令（目標推力）に基づいて制御する。これと共に、リア電動ブレーキ用ＥＣＵ２４は、パーキング機構２３（ソレノイド２３Ａ）の駆動を作動指令に基づいて制御する。リア電動ブレーキ用ＥＣＵ２４には、メインＥＣＵ１０から制動指令、作動指令が入力される。
【００２２】
回転角センサ２５は、電動モータ２２Ｂの回転軸２２Ｂ１の回転角度（モータ回転角）を検出する。回転角センサ２５は、各ブレーキ機構２２の電動モータ２２Ｂにそれぞれ対応して設けられており、電動モータ２２Ｂの回転位置（モータ回転位置）を検出する位置検出手段を構成している。推力センサ２６は、ピストン２２Ｅからブレーキパッド２２Ｆへの推力（押圧力）に対する反力を検出する。推力センサ２６は、各ブレーキ機構２２それぞれに設けられており、ピストン２２Ｅに作用する推力（ピストン推力）を検出する推力検出手段を構成している。電流センサ２７は、電動モータ２２Ｂに供給される電流（モータ電流）を検出する。電流センサ２７は、各ブレーキ機構２２の電動モータ２２Ｂにそれぞれ対応して設けられており、電動モータ２２Ｂのモータ電流を検出する電流検出手段を構成している。回転角センサ２５、推力センサ２６、および、電流センサ２７は、リア電動ブレーキ用ＥＣＵ２４に接続されている。
【００２３】
リア電動ブレーキ用ＥＣＵ２４（および、このリア電動ブレーキ用ＥＣＵ２４とＣＡＮ１３を介して接続されたメインＥＣＵ１０）は、回転角センサ２５からの信号に基づいて電動モータ２２Ｂの回転角度を取得することができる。リア電動ブレーキ用ＥＣＵ２４（およびメインＥＣＵ１０）は、推力センサ２６からの信号に基づいてピストン２２Ｅに作用する推力を取得することができる。リア電動ブレーキ用ＥＣＵ２４（およびメインＥＣＵ１０）は、電流センサ２７からの信号に基づいて電動モータ２２Ｂに供給されるモータ電流を取得することができる。
【００２４】
次に、電動ブレーキ装置２１による走行中の制動付与および制動解除の動作について説明する。なお、以下の説明では、運転者がブレーキペダル６を操作したときの動作を例に挙げて説明する。しかし、自動ブレーキの場合についても、例えば、自動ブレーキの指令が自動ブレーキ用ＥＣＵ（図示せず）またはメインＥＣＵ１０からリア電動ブレーキ用ＥＣＵ２４に出力される点で相違する以外、ほぼ同様である。
【００２５】
例えば、車両１の走行中に運転者がブレーキペダル６を踏込み操作すると、メインＥＣＵ１０は、ペダルストロークセンサ９から入力される検出信号に基づいて、ブレーキペダル６の踏込み操作に応じた指令（例えば、制動付与指令に対応する目標推力）をリア電動ブレーキ用ＥＣＵ２４に出力する。リア電動ブレーキ用ＥＣＵ２４は、メインＥＣＵ１０からの指令に基づいて、電動モータ２２Ｂを正方向、即ち、制動付与方向（アプライ方向）に駆動（回転）する。電動モータ２２Ｂの回転は、減速機構２２Ｃを介して回転直動変換機構２２Ｄに伝達され、ピストン２２Ｅがブレーキパッド２２Ｆに向けて前進する。
【００２６】
これにより、ブレーキパッド２２Ｆ，２２ＦがディスクロータＤに押し付けられ、制動力が付与される。このとき、ペダルストロークセンサ９、回転角センサ２５、推力センサ２６等からの検出信号により、電動モータ２２Ｂの駆動が制御されることにより、制動状態が確立される。このような制動中、回転直動変換機構２２Ｄの回転部材、延いては、電動モータ２２Ｂの回転軸２２Ｂ１には、ブレーキ機構２２に設けられた図示しないリターンスプリングにより制動解除方向の力が付与される。
【００２７】
一方、メインＥＣＵ１０は、ブレーキペダル６が踏込み解除側に操作されると、この操作に応じた指令（例えば、制動解除指令に対応する目標推力）をリア電動ブレーキ用ＥＣＵ２４に出力する。リア電動ブレーキ用ＥＣＵ２４は、メインＥＣＵ１０からの指令に基づいて、電動モータ２２Ｂを逆方向、即ち、制動解除方向（リリース方向）に駆動（回転）する。電動モータ２２Ｂの回転は、減速機構２２Ｃを介して回転直動変換機構２２Ｄに伝達され、ピストン２２Ｅがブレーキパッド２２Ｆから離れる方向に後退する。そして、ブレーキペダル６の踏込みが完全に解除されると、ブレーキパッド２２Ｆ，２２ＦがディスクロータＤから離間し、制動力が解除される。このような制動が解除された非制動状態では、ブレーキ機構２２に設けられた図示しないリターンスプリングは初期状態に戻る。
【００２８】
次に、パーキングブレーキによる制動付与（アプライ）および制動解除（リリース）の動作について説明する。なお、以下の説明では、運転者がパーキングブレーキスイッチ１５を操作したときの動作を例に挙げて説明するが、自動パーキングブレーキ（オートアプライ、オートリリース）の場合についても、例えば、メインＥＣＵ１０の自動パーキングブレーキの判定に基づいてその指令（オートアプライ指令、オートリリース指令）が出力される点で相違する以外、ほぼ同様である。
【００２９】
例えば、運転者によりパーキングブレーキスイッチ１５がアプライ側に操作されると、メインＥＣＵ１０は、パーキングブレーキを作動（アプライ）する。この場合、メインＥＣＵ１０は、先ず、リア電動ブレーキ用ＥＣＵ２４を介してブレーキ機構２２の電動モータ２２Ｂを推力発生側（アプライ側：図３の時計方向）に回転させ、ブレーキパッド２２Ｆ，２２ＦをディスクロータＤに所望の力（例えば、車両１の停止を維持できる力）で押圧する。この状態で、メインＥＣＵ１０は、リア電動ブレーキ用ＥＣＵ２４を介してパーキング機構２３のソレノイド２３Ａを作動させる。即ち、ソレノイド２３Ａのプランジャ２３Ａ１を引き込む（図３の上側に向けて変位させる）ことにより、レバー部材２３Ｃの爪部２３Ｃ１をラチェットギヤ２３Ｂの爪２３Ｂ１に押付ける。このとき、図３の（Ａ）に示すように、レバー部材２３Ｃの爪部２３Ｃ１がラチェットギヤ２３Ｂの爪２３Ｂ１の頂部に当接（干渉）することにより、これら爪部２３Ｃ１と爪２３Ｂ１とが係合されない場合もある。
【００３０】
次に、メインＥＣＵ１０は、リア電動ブレーキ用ＥＣＵ２４を介して電動モータ２２Ｂを減力側（リリース側：図３の反時計方向）に回転させる。これにより、爪部２３Ｃ１と爪２３Ｂ１とが係合されない場合にも、図３の（Ｂ）に示すように、爪部２３Ｃ１と爪２３Ｂ１とを確実に係合させることができる。この状態で、電動モータ２２Ｂへの通電を停止すると共に、例えば推力センサ２６により所定の推力（例えば、車両の停止を維持できる推力）に達しているか否かを確認してから、ソレノイド２３Ａへの通電を停止する。このとき、ラチェットギヤ２３Ｂ（即ち、電動モータ２２Ｂの回転軸２２Ｂ１）には、ブレーキ機構２２に設けられた図示しないリターンスプリングの弾性力に基づいて減力側（リリース側）への回転力（図３の反時計方向の力）が付与される。このため、ソレノイド２３Ａへの通電を停止しても、図３の（Ｃ）に示すように、爪部２３Ｃ１と爪２３Ｂ１との係合状態が保持される。これにより、電動モータ２２Ｂおよびソレノイド２３Ａへの通電を停止した状態で制動状態を保持することができる。
【００３１】
一方、パーキングブレーキスイッチ１５がリリース側に操作されると、メインＥＣＵ１０は、パーキングブレーキの作動を解除（リリース）する。この場合、ソレノイド２３Ａには通電せずに、電動モータ２２Ｂを推力発生側（アプライ側）に僅かに回転させる。これにより、レバー部材２３Ｃの爪部２３Ｃ１とラチェットギヤ２３Ｂの爪２３Ｂ１との係合が緩み、圧縮ばね２３Ｄのばね力によってレバー部材２３Ｃが爪部２３Ｃ１と爪２３Ｂ１との係合を解除する方向（時計方向）へ回動する。そして、推力センサ２６により推力が変化したか否かを確認してから、電動モータ２２Ｂを減力側（リリース側）へ回転させて制動を解除する。
【００３２】
ところで、前述の特許文献１によれば、イグニッションキーが抜かれてシステムが非稼働となるまで、ラチェット機構の係合による制動力の保持が行われない。このため、例えば、システム稼働中に車両が駐車状態になっても、ラチェット機構の係合による制動力の保持は行われない。これに対して、実施形態では、メインＥＣＵ１０は、システムが稼働しているときに、車両が停車状態でパーキングブレーキスイッチ１５が操作された場合、電動モータ２２Ｂで制動力を保持し、停車状態から駐車状態へ移行したときに、ラチェット機構であるパーキング機構２３により制動力を保持する。これにより、パーキング機構２３の係合（係止）による制動力の保持を状況に応じて適切に行うことができる。
【００３３】
例えば、イグニッションオンの状態で、運転者がパーキングブレーキスイッチ１５をアプライ操作してからドアを開けて車両から離れたときのように、停車状態から駐車状態に移行したときは、パーキング機構２３の係合によって制動力の保持が行われる。これに対して、例えば、パーキングブレーキスイッチ１５のアプライ操作とリリース操作とが短時間に繰り返されると予測されるシーン、具体的には、渋滞中の停車状態のときは、パーキング機構２３の係合による制動力の保持が行われない。これにより、パーキング機構２３の係合および係合解除に伴うパーキング機構２３の作動音が繰り返し発生することを抑制でき、運転者の違和感（不快感）を低減できる。また、停車状態でパーキングブレーキスイッチ１５が操作される都度、パーキング機構２３の係止による制動力の保持が行われない。このため、パーキング機構２３の作動回数を低減でき、パーキング機構２３の耐久性を向上できる。
【００３４】
より具体的に説明すると、実施形態では、メインＥＣＵ１０は、車輪速度センサ１４，１４またはＣＡＮ１３を介して受信した車両情報に基づいて、運転者の駐車意思を判定する。そして、駐車意思がないと判定できる場合は、パーキングブレーキスイッチ１５がアプライ操作されると、電動モータ２２Ｂの駆動によりパーキングブレーキとして必要な推力（例えば、１５ｋＮ）を付与するが、図３に示すラチェット係合処理を不要と判断する。例えば、車両情報から「パーキングブレーキによりアプライ作動させたものの短時間にリリース作動させて走行する可能性がある」と判定できる場合は、図３に示すラチェット係合処理を不要と判断する。このように、運転者に駐車意思はなく停車状態であると判定できる場合、換言すれば、駐車条件が成立していないと判定した場合は、図３に示すラチェット係合処理を不要と判断し、このラチェット係合処理を一時的に行わない。これに対して、駐車条件が成立している状態でパーキングブレーキスイッチ１５がアプライ操作された場合、または、ラチェット係合処理を一時的に行っていない状態で駐車条件が成立した場合は、ラチェット係合処理が必要と判定し、ラチェット係合処理を行う。
【００３５】
車両停止中にパーキングブレーキをアプライ作動させたときの停車条件、即ち、短時間でパーキングブレーキをリリースして走行すると考えられる条件としては、例えば、次の（ａ）−（ｇ）が挙げられる。
（ａ）ＡＴレンジまたはＭＴシフトが走行可能な位置、例えば、Ｄレンジ等に切換えられている。なお、「ＡＴ」は「自動変速装置」であり「ＭＴ」は「手動変速装置」である。
（ｂ）エンジンが駆動している。
（ｃ）アイドリングストップによりエンジンが停止している（エンジンの一時的停止）。
（ｄ）イグニッションオンの状態である。
（ｅ）ステアリングホイールが操作されている。ステアリングホイールが把持されている。
（ｆ）クラッチペダルが操作されている（ＭＴ車）。
（ｇ）車載カメラ、車車間通信等により渋滞中または信号待ちであると判定されている。
【００３６】
これら（ａ）−（ｇ）の条件の組み合わせは問わず、全てが成立、または、少なくともいずれかが成立することで、停車状態であると判定する。また、停車条件に当てはまらなかった場合は、駐車状態であると判定する。停車状態であると判定した場合は、ラチェット係合が不要と判定する（ラチェット要否判定＝否）。
【００３７】
一方、停車状態から駐車状態に移行する条件としては、次の（ｈ）−（ｏ）が挙げられる。
（ｈ）ＡＴレンジがＰレンジに切換えられている（ＡＴ車）。
（ｉ）エンジンが停止している（アイドリングストップを除く）。
（ｊ）イグニッションオフの状態である。
（ｋ）運転席のドアが開く。
（ｌ）ステアリングホイールが操作されていない。ステアリングホイールが把持されていない。
（ｍ）クラッチペダルが操作されていない（ＭＴ車）。
（ｎ）車載カメラ、車車間通信等により渋滞中または信号待ちであると判定されない。
（ｏ）急激な前後加速度、横加速度の変化を検知した（例えば、追突事故）。
【００３８】
これら（ｈ）−（ｏ）の条件の組み合わせは問わず、全てが成立、または、少なくともいずれかが成立することで、駐車状態であると判定する。また、停車条件成立が所定時間継続した場合は、駐車状態であると判定する。駐車状態であると判定した場合は、ラチェット係合が必要と判定する（ラチェット要否判定＝要）。
【００３９】
ここで、図４は、電動ブレーキ装置２１の制御中の状態遷移図の一例を示している。電動ブレーキ装置２１の制御中は、「待機状態」、「推力制御状態」、「クリアランス制御状態」、「ラチェット係合処理状態」、「ラチェット解除処理状態」、「パーキングブレーキロック状態（ＰＫＢロック状態）」のいずれかの制御状態になっている。電動ブレーキ装置２１は、これらの状態に応じた制御を行う。各状態への遷移条件は、図４の矢印の横に示す通りである。遷移条件が成立した場合に、状態が遷移する。
【００４０】
電動ブレーキ装置２１の起動直後は、一連のシステムチェックを行う。このシステムチェックの完了後に、システムチェック中に推力が規定値以上であり「ＰＫＢロック状態」であると判定した場合は、制御状態としては「ＰＫＢロック状態」になる。「ＰＫＢロック状態」でないと判定した場合は、制御状態としては、「待機状態」になる。なお、制御状態は、例えば、メインＥＣＵ１０内に内蔵されているＥＥＰＲＯＭ等のメモリに前回の起動終了時に記憶させ、今回の起動直後のシステムチェック時にメモリに記憶された情報を読み込み、判定してもよい。
【００４１】
次に、「待機状態」のときにパーキングブレーキアプライ要求（ＰＫＢアプライ要求）が発生した場合について、図４を参照しつつ説明する。
【００４２】
「待機状態」のときに、運転者によりパーキングブレーキスイッチ１５がアプライ側に操作されると、推力発生指令が発生することで、「推力制御状態」に遷移する。推力発生指令として具体的には、ＰＫＢ用の目標推力、即ち、車両の停止を維持できる目標推力（例えば、１５ｋＮ）を設定する。推力制御状態では、この目標推力に到達するように制御を行う。なお、ＰＫＢ用の目標推力は、路面勾配に応じて変更してもよい。
【００４３】
ＰＫＢ用の目標推力到達時に、ラチェット要否判定が「要」となっている場合は、「ラチェット係合処理状態」に遷移し、図３に示すラチェット係合処理を行う。ラチェット係合処理が完了すると、「ＰＫＢロック状態」に遷移する。ＰＫＢ用の目標推力到達時に、ラチェット要否判定が「否」となっている場合は、遷移条件が成立するまでは、「推力制御状態」にてＰＫＢ用の目標推力を維持するように制御を継続する。ラチェット要否判定が「否」から「要」になった場合、即ち、停車状態から駐車状態になった場合は、「ラチェット係合処理状態」に遷移する。ラチェット係合処理が完了すると、「ＰＫＢロック状態」に遷移する。
【００４４】
また、ラチェット要否判定が「否」となっており、「推力制御状態」にてＰＫＢ用の目標推力を維持しているときに、リリース要求があった場合は、目標推力をＰＫＢ用の推力設定値（例えば、１５ｋＮ）から０（ゼロ）ｋＮに変更し、「推力制御状態」にて推力がゼロになるまで制御を行う。推力がゼロになると、「クリアランス制御状態」へ遷移する。「クリアランス制御状態」では、ブレーキパッド２２ＦとディスクロータＤとのクリアランスが所定量となる所定クリアランス位置にピストン２２Ｅを移動させるように制御を行う。クリアランスが所定量に到達すると、「待機状態」へ遷移する。なお、「クリアランス制御状態」のときに推力発生指令（ＰＫＢアプライ要求を含む）があった場合は、「推力制御状態」へ遷移し、以降の処理を行う。
【００４５】
制御状態が「ＰＫＢロック状態」のときに、ＰＫＢリリース要求があった場合は、ラチェット要否判定を「否」とし、「ラチェット解除処理状態」へ遷移し、ラチェット解除処理を行う。なお、ここではＰＫＢ作動要求（アプライ、リリース）があったときの状態遷移を説明したが、ブレーキペダル６の操作により推力発生指令があったときは、目標推力がペダル操作に応じて制御周期毎に可変する。
【００４６】
次に、メインＥＣＵ１０の演算回路で行われる制御処理について、図５および図６を参照しつつ説明する。なお、図５および図６に示す処理フローを実行するための処理プログラムは、メインＥＣＵ１０のメモリに格納されている。図５および図６の制御処理は、例えば、メインＥＣＵ１０が起動した後、所定の制御周期毎、例えば、１０ms毎に繰り返し実行される。
【００４７】
図５は、図４に示す状態遷移図で推力発生指令ありとなったときのラチェット要否を判定する処理を示している。推力発生指令が発生することにより図５の制御処理が開始されると、Ｓ１では、車両は停止しているか否かを判定する。車両が停止しているか否かは、例えば、車輪速度センサ１４，１４からの信号に基づく車速が０（ゼロ）ｋｍ／ｈまたは極低速以下（例えば、５（ゼロ）ｋｍ／ｈ以下）であるか否かにより判定することができる。Ｓ１で「ＮＯ」、即ち、車両が停止していない、換言すれば、車両が走行していると判定した場合は、リターンする。即ち、リターンを介してスタートに戻り、Ｓ１以降の処理を繰り返す。
【００４８】
一方、Ｓ１で「ＹＥＳ」、即ち、車両が停止していると判定した場合は、Ｓ２に進む。Ｓ２では、図４の「推力制御状態」であるか否かを判定する。Ｓ２で「ＮＯ」、即ち、「推力制御状態」でないと判定した場合は、リターンする。Ｓ２で「ＹＥＳ」、即ち、「推力制御状態」であると判定した場合は、Ｓ３に進む。Ｓ３では、ＰＫＢアプライ要求による推力発生指令に基づいて推力制御中であるか否かを判定する。Ｓ３で「ＮＯ」、即ち、ＰＫＢアプライ要求による推力制御中でないと判定した場合は、リターンする。Ｓ３で「ＹＥＳ」、即ち、ＰＫＢアプライ要求による推力制御中であると判定した場合は、Ｓ４に進む。このように、Ｓ１−Ｓ３にて、車両が停止しているか否か、推力制御状態であるか否か、ＰＫＢアプライ要求による推力制御中であるか否かを判定し、全て成立していない場合は、ラチェット要否判定を行う前提条件が成立していないと判定し、リターンする。これに対して、Ｓ１−Ｓ３の全てが成立している場合は、Ｓ４に進む。
【００４９】
Ｓ４では、ＰＫＢ用の目標推力（例えば、１５ｋＮ）に到達しているか否かを判定する。推力は、例えば、推力センサ２６からの信号に基づいて判定することができる。Ｓ４で「ＮＯ」、即ち、ＰＫＢ用の目標推力に到達していないと判定した場合は、リターンする。Ｓ４で「ＹＥＳ」、即ち、ＰＫＢ用の目標推力に到達していると判定した場合は、Ｓ５に進む。Ｓ５では、前述の停車条件が成立しているか否かを判定する。即ち、Ｓ５では、前述の（ａ）−（ｇ）の条件の少なくともいずれか、または、全てが成立したか否かを判定する。Ｓ５で「ＮＯ」、即ち、停車条件が成立していない、換言すれば、停車状態でないと判定した場合は、Ｓ８に進む。Ｓ８では、ラチェット要否判定を「要」とし、リターンする。この場合は、図４の「推力制御状態」から「ラチェット係合処理状態」に遷移する。これに対して、Ｓ５で「ＹＥＳ」、即ち、停車条件が成立している、換言すれば、停車状態であると判定した場合は、Ｓ６に進む。Ｓ６では、ラチェット要否判定を「否」とし、Ｓ７に進む。Ｓ７では、図４の「推力制御状態」にて推力を維持させるよう、ＰＫＢ用の目標推力を保持させ、リターンする。なお、ラチェット要否判定の初期値、例えば、メインＥＣＵ１０の起動直後のラチェット要否判定の初期値は、「要」とする。
【００５０】
次に、図６は、図５のＳ６にてラチェット要否判定が「否」と判定された「推力制御状態」にてＰＫＢ用の推力を維持しているときのラチェット要否を再判定する処理を示している。図５のＳ６にてラチェット要否判定が「否」と判定されることにより図５の制御処理が開始されると、Ｓ１１では、図４の「推力制御状態」にてＰＫＢ用の推力を維持しているか否かを判定する。Ｓ１１で「ＮＯ」、即ち、「推力制御状態」にてＰＫＢ用の推力を維持していないと判定した場合は、リターンする。即ち、リターンを介してスタートに戻り、Ｓ１１以降の処理を繰り返す。Ｓ１１で「ＹＥＳ」、即ち、「推力制御状態」にてＰＫＢ用の推力を維持していると判定した場合は、Ｓ１２に進む。Ｓ１２では、ラチェット要否判定が「否」であるか否かを判定する。Ｓ１２で「ＮＯ」、即ち、ラチェット要否判定が「否」でないと判定された場合は、リターンする。Ｓ１２で「ＹＥＳ」、即ち、ラチェット要否判定が「否」であると判定された場合は、Ｓ１３に進む。このように、Ｓ１１−Ｓ１２にて、「推力制御状態」にてＰＫＢ用の推力を維持しているか否か、ラチェット要否判定が「否」であるか否かと判定し、全て成立していない場合は、ラチェット要否の再判定を行う前提条件が成立していないと判定し、リターンする。これに対して、Ｓ１１−Ｓ１２の全てが成立している場合は、Ｓ１３に進む。
【００５１】
Ｓ１３では、停車条件が成立してからの経過時間を監視するため、長時間判定カウンタのカウントアップを行う。Ｓ１３で長時間判定カウンタをカウントアップしたら、Ｓ１４に進む。Ｓ１４では、Ｓ１３にてカウントアップした長時間判定カウンタが閾値未満であるか否かを判定する。即ち、Ｓ１４では、停車条件が成立してから、即ち、停車状態であると判定されてから長時間経過したか否かを判定する。長時間経過したか否かを判定するための閾値は、例えば、数分、より具体的には、１分ないし５分、より好ましくは、３分ないし４分のうちのいずれかに設定することができる。この閾値は、例えば、渋滞の道路を走行中にパーキング機構２３の係止と解除が短時間に繰り返されることを抑制できる時間として設定することができる。また、例えば、車載カメラ、車車間通信等により車両の停止状況、即ち、渋滞中であるか、信号待ちであるか、踏切通過待ちであるかを判定できる場合は、停車状況に応じて閾値を増減してもよい。即ち、閾値は、車両の停車状況に応じて可変にすることもできるし、予め設定した一定値（一定時間）としてもよい。
【００５２】
Ｓ１４で「ＹＥＳ」、即ち、長時間判定カウンタが閾値未満である、換言すれば、停車条件が成立してから長時間経過していないと判定した場合は、Ｓ１５に進む。Ｓ１４で「ＮＯ」、即ち、長時間判定カウンタが閾値未満でない、換言すれば、停車条件が成立してから長時間経過したと判定した場合は、Ｓ１６に進む。Ｓ１５では、前述の駐車条件が成立しているか否かを判定する。即ち、Ｓ１５では、前述の（ｈ）−（０）の条件の少なくともいずれか、または、全てが成立したか否かを判定する。Ｓ１５で「ＮＯ」、即ち、駐車条件が成立していない、換言すれば、駐車状態でないと判定した場合は、リターンする。Ｓ１５で「ＹＥＳ」、即ち、駐車条件が成立している、換言すれば、駐車状態であると判定した場合は、Ｓ１６に進む。
【００５３】
Ｓ１４で停車条件が成立してから長時間経過したと判定された場合、または、Ｓ１５で駐車条件が成立していると判定された場合は、駐車状態へ移行したと判定し、Ｓ１６以降の処理に進む。Ｓ１６では、Ｓ１４またはＳ１５にて駐車状態と判定されたことにより、ラチェット要否判定を「要」とし、Ｓ１７に進む。Ｓ１７では、Ｓ１３の長時間判定カウンタをリセットし、即ち、長時間判定カウンタをゼロにし、リターンする。この場合は、図４の「推力制御状態」から「ラチェット係合処理状態」に遷移する。
【００５４】
以上のように、実施形態によれば、システムが稼働しているときに、パーキングブレーキスイッチ１５が操作された場合、停車状態であれば、電動モータ２２Ｂで制動力を保持する。この場合は、ラチェット機構により構成されるパーキング機構２３の係止により制動力を保持しないため、パーキングブレーキスイッチ１５が短時間に繰り返し操作されても、パーキング機構２３が作動しない。このため、パーキング機構２３の作動音が繰り返し発生することを抑制でき、運転者の違和感（不快感）を低減できる。また、停車状態でパーキングブレーキスイッチ１５が操作される都度、パーキング機構２３の係止による制動力の保持が行われない。このため、パーキング機構２３の作動回数を低減することができ、パーキング機構２３の耐久性を向上できる。一方、停車状態から駐車状態へ移行したときは、パーキング機構２３により制動力が保持される。この場合は、ブレーキ機構２２の一部（電動モータ２２Ｂの回転軸２２Ｂ１）がラチェットギヤ２３Ｂとレバー部材２３Ｃとで係止されることにより制動力が保持される。これにより、パーキング機構２３の係止による制動力の保持を状況に応じて適切に行うことができる。
【００５５】
なお、実施形態では、「メインＥＣＵ１０」と「左後輪５Ｌ側のリア電動ブレーキ用ＥＣＵ２４」と「右後輪５Ｒ側のリア電動ブレーキ用ＥＣＵ２４」とをそれぞれ別体のＥＣＵとし、これら３つのＥＣＵを車両データバスであるＣＡＮ１３で接続する構成とした場合を例に挙げて説明した。即ち、メインＥＣＵ１０と左右のリア電動ブレーキ用ＥＣＵ２４，２４との３つのＥＣＵを、電動ブレーキ装置２１，２１用の制御装置（電動ブレーキ制御装置）として構成した場合を例に挙げて説明した。しかし、これに限らず、例えば、メインＥＣＵとリア電動ブレーキ用ＥＣＵとを一つのＥＣＵにより構成してもよい。即ち、左右の電動モータと左右のパーキング機構（ソレノイド）を制御する制御装置を、１つのＥＣＵにより構成してもよい。
【００５６】
実施形態では、ブレーキ機構２２にリア電動ブレーキ用ＥＣＵ２４を取り付けることにより、これらブレーキ機構２２とリア電動ブレーキ用ＥＣＵ２４とを１つのユニット（組立体）として構成した場合を例に挙げて説明した。しかし、これに限らず、例えば、ブレーキ機構とリア電動ブレーキ用ＥＣＵとを分離して配置してもよい。この場合、電動ブレーキ用ＥＣＵ（リア電動ブレーキ用ＥＣＵ）を左側（左後輪側）と右側（右後輪側）とでそれぞれ別々に設けてもよいし、左側（左後輪側）と右側（右後輪側）とで一つの（共通の）電動ブレーキ用ＥＣＵ（リア電動ブレーキ用ＥＣＵ）として構成してもよい。
【００５７】
実施形態では、前輪３Ｌ，３Ｒ側を液圧ブレーキ装置４，４とし、後輪５Ｌ，５Ｒ側を電動ブレーキ装置２１，２１とした場合を例に挙げて説明した。しかし、これに限らず、例えば、前輪側を電動ブレーキ装置とし、後輪側を液圧ブレーキ装置としてもよい。
【００５８】
実施形態では、後輪側の左右の電動ブレーキ装置２１，２１にパーキング機構を備えた構成とした場合を例に挙げて説明した。しかし、これに限らず、例えば、左前輪側と右前輪側とにそれぞれパーキング機構を備えた電動ブレーキ装置を配置してもよい。また、左右の前輪と左右の後輪との四輪のそれぞれにパーキング機構を備えた電動ブレーキ装置を配置してもよい。換言すれば、左右の前輪と左右の後輪との四輪のそれぞれに電動ブレーキ装置を配置すると共に、左右の前輪および／または左右の後輪の電動ブレーキ装置にパーキング機構を備えてもよい。要するに、車両の車輪のうち少なくとも左右一対の車輪の電動ブレーキ装置を、パーキング機構を備えた電動ブレーキ装置により構成することができる。
【００５９】
以上説明した実施形態に基づく電動ブレーキ装置として、例えば下記に述べる態様のものが考えられる。
【００６０】
第１の態様としては、制動力を付与する電動モータと、ブレーキ機構の一部を係止することで制動力を保持する制動力保持機構と、前記電動モータおよび前記制動力保持機構の作動を制御する制御装置と、を有する電動ブレーキ装置において、前記制御装置は、システムが稼働しているときに、車両が停車状態で前記制動力保持機構を作動させるスイッチが操作された場合、前記電動モータで制動力を保持し、停車状態から駐車状態へ移行したときに前記制動力保持機構により制動力を保持する。
【００６１】
この第１の態様によれば、システムが稼働しているときに、制動力保持機構を作動させるスイッチが操作された場合、停車状態であれば、電動モータで制動力を保持する。この場合は、制動力保持機構の係止により制動力を保持しないため、制動力保持機構を作動させるスイッチが短時間に繰り返し操作されても、制動力保持機構が作動しない。このため、制動力保持機構の作動音が繰り返し発生することを抑制でき、運転者の違和感（不快感）を低減できる。また、停車状態でスイッチが操作される都度、制動力保持機構の係止による制動力の保持が行われない。このため、制動力保持機構の作動回数を低減することができ、制動力保持機構の耐久性を向上できる。一方、停車状態から駐車状態へ移行したときは、制動力保持機構により制動力が保持される。この場合は、ブレーキ機構の一部が係止されることにより制動力が保持される。これにより、制動力保持機構の係止による制動力の保持を状況に応じて適切に行うことができる。
【符号の説明】
【００６２】
１０  メインＥＣＵ（制御装置）
１５  パーキングブレーキスイッチ（スイッチ）
２１  電動ブレーキ装置
２２  ブレーキ機構
２２Ｂ  電動モータ
２３  パーキング機構（制動力保持機構）
２４  リア電動ブレーキ用ＥＣＵ（制御装置）
【図１】
2020157903.tif 000003
【図２】
2020157903.tif 000004
【図３】
2020157903.tif 000005
【図４】
2020157903.tif 000006
【図５】
2020157903.tif 000007
【図６】
2020157903.tif 000008